(57)【要約】【課題】温水装置の外装ケースに収容される機器を取付けるための取付金具であって、バーリングが形成されてバーリングによる位置決め機能を有する取付金具を提供する。【解決手段】給湯器(1) の箱状の外装ケース(2) の上部内面に取付けられ、前記外装ケース(2) に収容される機器を取付けるための温水装置(1) の取付金具(30)において、前記取付金具(30)は、前記外装ケース(2) にビスで固定するための複数の締結部(36)と、上方へ凸状のバーリング(39)とを備え、前記外装ケース(2) は上面壁(20)に開口部(40)を備え、前記開口部(40)と、この開口部(40)に内嵌させたバーリング(39)とで、前記取付金具(30)を外装ケース(2) に組付ける際に取付金具を位置決めするための位置決め部(41)を構成した。【選択図】図４
2018096546.tif 000002
【特許請求の範囲】
【請求項１】
外装ケースの上部内面に取付けられ、前記外装ケースに収容される機器を取付けるための温水装置の取付金具において、
前記取付金具は、前記外装ケースにビスで固定するための複数の締結部と、上方へ凸状のバーリングとを備え、
前記外装ケースは上面壁に開口部を備え、
前記開口部と、この開口部に内嵌させたバーリングとで、前記取付金具を外装ケースに組み付ける際に取付金具を位置決めするための位置決め部を構成したことを特徴とする温水装置の取付金具。  
【請求項２】
前記外装ケースに収容される機器は膨張タンクであり、
前記バーリングは、前記膨張タンクの給水口を形成する給水口部材を取付ける取付部であることを特徴とする請求項１に記載の温水装置の取付金具。
【請求項３】
前記取付金具に前記外装ケースの前面カバーを固定するカバー締結部を形成したことを特徴とする請求項１又は２に記載の温水装置の取付金具。
【請求項４】
前記取付金具に熱交換器を取付けるための熱交換器取付部を形成したことを特徴とする請求項１〜３の何れか１項に記載の温水装置の取付金具。
【請求項５】
前記取付金具に熱交換器以外の付属機器を取付けるための付属機器取付部を形成したことを特徴とする１〜３の何れか１項に記載の温水装置の取付金具。
【発明の詳細な説明】
【技術分野】
【０００１】
本発明は、温水装置の外装ケースに収容される機器を取付けるための取付金具に関するものである。
【背景技術】
【０００２】
温水装置の外装ケースには種々の機器類が収容されるが、通常、これら機器類は外装ケースに溶接した取付金具やビス止めした取付金具を介して外装ケースに固定される。
【０００３】
特許文献１に記載の熱交換器固定構造では、外側ケースにスリット孔と、このスリット孔の両側に位置する１対の小孔を形成し、断面Ｔ形の固定金具は、ベースと、このベースに立設した取付片と、この取付片の基部に形成した欠き溝と、ベースに形成した１対の突起とで構成している。
【０００４】
取付片をスリット孔に裏面側から挿入後、上記の欠き溝を介して固定金具を小距離移動させて欠き溝に外側ケースの壁部を係合させ、１対の突起を１対の小孔に係合させることで、固定金具を外側ケースに固定するように構成している。
【０００５】
特許文献２に記載の部品固定構造では、本体にクランク状の開口部を形成すると共に、本体ケースに結合する遮蔽板に、前記開口部に挿入可能なＬ形の係合爪を形成し、Ｌ形の係合爪をクランク状の開口部に挿入後開口部の形状に沿ってスライドさせることで遮蔽板の一端部を本体ケースに結合するように構成している。
【０００６】
特許文献３に記載の温風暖房機においては、操作部取付金具に差し込み爪用孔と引っ掛け爪用孔とを形成し、受信ユニットに差し込み爪と引っ掛け爪とを形成し、下方から差し込み爪と引っ掛け爪を差し込み爪用孔と引っ掛け爪用孔に挿入し、上方から操作部取付金具に操作部を取付け、操作部の固定部を差し込み爪に接近状に配置することで、差し込み爪の差し込み爪用孔から離脱しないように規制するように構成している。
【先行技術文献】
【特許文献】
【０００７】
【特許文献１】実開昭６１−８４４５８号公報
【特許文献２】特開２０１５−５９６３８号公報
【特許文献３】特開２０１５−８１７３７号公報
【発明の概要】
【発明が解決しようとする課題】
【０００８】
外装ケースをカラー鋼板製にすると、外装ケースに取付金具等を溶接できなくなるため、取付金具をビスで固定することになるが、外観の意匠性が低下しないようにビス締結個所の数を極力少なくする必要がある。取付金具を外装ケースに取付ける場合に取付金具を位置決めする構造が不備であると、複数のビス穴を位置合せするのに困難が生じる。
【０００９】
また、外装ケースにバーリングを形成すると、バーリング付き外装ケースとバーリングなしの外装ケースとの互換性がなくなるため、バーリング付きの取付金具を外装ケースに取付ける構造とすることが望ましい。
【００１０】
本発明の目的は、温水装置の外装ケースに収容される機器を取付けるための取付金具であって、バーリングが形成されてバーリングによる位置決め機能を有する取付金具を提供することである。
【課題を解決するための手段】
【００１１】
請求項１の温水装置の取付金具は、外装ケースの上部内面に取付けられ、前記外装ケースに収容される機器を取付けるための温水装置の取付金具において、前記取付金具は、前記外装ケースにビスで固定するための複数の締結部と、上方へ凸状のバーリングとを備え、前記外装ケースは上面壁に開口部を備え、前記開口部と、この開口部に内嵌させたバーリングとで、前記取付金具を外装ケースに組み付ける際に取付金具を位置決めするための位置決め部を構成したことを特徴としている。
【００１２】
請求項２の温水装置の取付金具は、請求項１の発明において、前記外装ケースに収容される機器は膨張タンクであり、前記バーリングは、前記膨張タンクの給水口を形成する給水口部材を取付ける取付部であることを特徴としている。
【００１３】
請求項３の温水装置の取付金具は、請求項１又は２の発明において、前記取付金具に前記外装ケースの前面カバーを固定するカバー締結部を形成したことを特徴としている。
【００１４】
請求項４の温水装置の取付金具は、請求項１〜３の何れか１項の発明において、前記取付金具に熱交換器を取付けるための熱交換器取付部を形成したことを特徴としている。
【００１５】
請求項５の温水装置の取付金具は、請求項１〜３の何れか１項の発明において、前記取付金具に熱交換器以外の付属機器を取付けるための付属機器取付部を形成したことを特徴としている。
【発明の効果】
【００１６】
請求項１の発明によれば、前記取付金具は、外装ケースにビスで固定するための複数の締結部と、上方へ凸状のバーリングとを備え、外装ケースに形成した開口部と、この開口部に内嵌させたバーリングとで、前記取付金具を外装ケースに組み付ける際に取付金具を位置決めするための位置決め部を構成したので、バーリングを有効活用して取付金具を位置決めすることができるから、複数の締結部をビスで固定する作業を容易に能率的に行うことができる。
【００１７】
請求項２の発明によれば、前記バーリングは、膨張タンクの給水口を形成する給水口部材を取付ける取付部であるため、取付金具に形成したバーリングに膨張タンクの給水口を形成する給水口部材を取付けることができる。仮に、バーリングを外装ケースに形成すると、外装ケースの互換性が損なわれるが、バーリングを取付金具に形成することで、外装ケースの互換性が損なわれるのを防止することができる。
【００１８】
請求項３の発明によれば、前記取付金具に外装ケースの前面カバーを固定するカバー締結部を形成したため、取付金具を有効利用して前面カバーを固定することができる。
【００１９】
請求項４の発明によれば、前記取付金具に熱交換器を取付けるための熱交換器取付部を形成したため、取付金具を有効利用して熱交換器を取付けることができる。
【００２０】
請求項５の発明によれば、前記取付金具に熱交換器以外の付属機器を取付けるための付属機器取付部を形成したため、取付金具を有効利用して付属機器を取付けることができる。
【図面の簡単な説明】
【００２１】
【図１】給湯器（前面カバーを外した状態）の正面図である。
【図２】給湯器の斜視図である。
【図３】給湯器（一部の機器を外した状態）の斜視図である。
【図４】取付金具の斜視図である。
【図５】膨張タンクの給水口部分の拡大断面図である。
【発明を実施するための形態】
【００２２】
本発明を実施するための形態について、実施例に基づいて説明する。
【実施例】
【００２３】
図１〜図３に示すように、給湯器１はガス燃焼式の温水装置であり、カラー鋼板製の箱状の外装ケース２内に、送風ファン３、ガス燃焼バーナー４、１次熱交換器５（顕熱回収用熱交換器）、２次熱交換器６（潜熱回収用熱交換器）、２次熱交換器６から発生するドレンを中和する中和器７、暖房用熱媒（水）を収容する膨張タンク８、制御ユニット９、警報端子箱１０等の機器類と、燃焼排ガスを放出する排気筒１１の一部と、配管類とを収容している。以下、図２に示すように前後と左右と上下の各方向を定義して説明する。
【００２４】
外装ケース２は、上面板２０と左側板２１と右側板２２と底面板２３と背面板（図示略）と前面カバー（図示略）とで箱状に構成され、上面板２０と左側板２１と右側板２２の前端にはフランジ２ａが形成されている。背面板の上端部と下端部には上方と下方へ突出する温水装置取付板２４が固定され、これら温水装置取付板２４を複数のビスで壁面に固定することで給湯器１が壁面に取付けられる。
この給湯器１の取付金具３０は、外装ケース２の上面板２０の前端部内面に取付けられ、外装ケース２に収容される機器を取付けるためのカラー鋼板製の取付金具である。
【００２５】
図２〜図５に示すように、取付金具３０は、左右方向に細長い水平な帯板状の本体部３１と、この本体部３１の左端側部分に一体形成されて後方へ張り出した矩形状のバーリング形成部３２と、本体部３１の後端から折曲されて下方へ張り出す熱交換器取付け部３３と、本体部３１の左端部と右端部から前方へ延び且つ前面カバー固定用の左右１対のカバー締結部３４と、本体部３１の右端部の後端から折曲させて下方へ張り出す付属機器締結部３５とを備えている。
【００２６】
前記本体部３１とバーリング形成部３２には、この取付金具３０を外装ケース２の上面板２０の内面にビスで締結するためのビス穴を有する６つの締結部３６が形成され、上面板２０にはこれら６つの締結部３６に締結される６つのビス４３を螺合する６つのビス穴が形成されている。また、本体部３１の左部と右部には、上面板２０に形成された左右１対の凸部３７を係合させて取付金具３０を位置決めするための係合穴３８が形成されている。
【００２７】
前記バーリング形成部３２には、上方へ凸状の円環状のバーリング３９が形成され、バーリング３９の外周側には浅い環状溝３２ａが形成されている。取付金具３０は、外装ケース２の上面板２０の前端部分の内面に本体部３１が当接する状態に装着される。このとき、上記のバーリング３９は、外装ケース２の上面板２０（上面壁）に形成された円形の開口部４０に下方からガタ付きなしの状態に内嵌される。
【００２８】
上記の開口部４０と、この開口部４０に内嵌させたバーリング３９とで、取付金具３０を外装ケース２に組み付ける際に取付金具３０を位置決めするための位置決め部４１が構成されている。この位置決め部４１により取付金具３０の左右方向位置が位置決めされ、左右１対の凸部３７と左右１対の係合穴３８とで取付金具３０の左右方向位置と前後方向位置が位置決めされる。
【００２９】
熱交取付け部３３は本体部３１よりも狭幅の帯板状に形成され、この熱交取付け部３３には２つのビス穴４２が形成され、潜熱回収用の２次熱交換器６のケース前面板６ａの上端部が上記の２つのビス穴４２にビス４４で締結される。
【００３０】
図１、図５に示すように、膨張タンク８は、外装ケース２の内部の左側部分の上部に配設され、この膨張タンク８の給水導入管８ａが上方へ延び、この給水導入管８ａの上端の給水口を形成するゴム製の給水口部材４５が上方からバーリング３９に挿入装着され、給水口部材４５の環状溝４５ａにバーリング３９を外嵌させることで給水口部材４５がバーリング３９に取付けられる。つまり、バーリング３９が膨張タンク８の給水口部材４５を取付ける取付部を構成している。尚、給水口部材４５には、合成樹脂製又は金属製のキャップ４６が装着される。
【００３１】
カバー締結部３４は、本体部３１から前方へ所定長さ突出する張出し片３４ａと、この張出し片３４ａの前端から下方へ折曲された締結片３４ｂとを有する。張出し片３４ａは前方下り緩傾斜状に形成されている。締結片３４ｂには前面カバーを固定するビス４７を締結するビス穴３４ｃが形成されている。
【００３２】
付属機器締結部３５には、熱交換器以外の付属機器である警報器端子箱１０を締結する２つのビス穴３５ａが形成され、この２つのビス穴３５ａを介して警報器端子箱１０が締結される。
【００３３】
以上説明した給湯器１の取付金具３０の作用、効果について説明する。
外装ケース２内に種々の機器類を組み付ける前に、外装ケース２に取付金具３０を取付ける際には、本体部３１を外装ケース２の上面板２０の前端部の内面に位置させ、バーリング３９を上面板２０の開口部４０（図５参照）に挿入し、本体部３１を上面板２０に当接させ、上面板２０の１対の凸部３７を１対の係合穴３８に係合させることで、取付金具３０の前後方向と左右方向の位置を決め、上面板２０に形成したビス穴から取付金具３０のビス穴３６にビス４３を締結して取付金具３０を上面板２０に固定する。
【００３４】
その後、給水口部材４５を上方からバーリング３９に挿入してバーリング３９に取付けると共に給水口部材４５を給水導入管８ａの上端部に接続する。
また、２次熱交換器６を取付ける際には、２次熱交換器６のケース前面板の上端部を熱交換器取付部３３の１対のビス穴４２にビス４４で締結して取付ける。
【００３５】
さらに、警報端子箱１０の上端の締結片１０ａを付属機器締結部３５の２つのビス穴３５ａに２本のビス３５ｂで締結する。外装ケース２内に機器類を取付け後に、前面カバーを取付ける際には、２つのカバー締結部３４の２つのビス穴３４ｃにビス４７を締結することで前面カバーの上端部を締結し、前面カバーの下端部を２つのビス４８で外装ケース２の底面板２３の前端部のフランジ２３ａに締結する。
【００３６】
前記取付金具３０は、外装ケース２にビスで固定するための複数の締結部３６と、上方へ凸状のバーリング３９とを備え、外装ケース２に形成した開口部４０と、この開口部４０に内嵌させたバーリング３９とで、取付金具３０を外装ケース２に組み付ける際に取付金具３０を位置決めするための位置決め部４１を構成したので、バーリング３９を有効活用して取付金具３０を位置決めすることができるから、複数の締結部３６をビス４３で固定する作業を容易に能率的に行うことができる。
【００３７】
しかも、バーリング３９は、膨張タンク８の給水口部材４５を取付ける取付部であるため、取付金具３０に形成したバーリング３９に膨張タンク８の給水口部材４５を取付けることができる。仮に、バーリング３９を外装ケース２の上面板２０に直接形成すると、外装ケース２の互換性が損なわれるが、バーリング３９を取付金具３０に形成することで、外装ケース２の互換性が損なわれるのを防止することができる。
【００３８】
また、取付金具３０に外装ケース２の前面カバーを固定するカバー締結部３４を形成したため、取付金具３０を有効利用して前面カバーを固定することができる。
【００３９】
前記実施例の取付金具３０は一例を示すものであり、当業者ならば本発明の趣旨を逸脱することなく、前記実施例に種々の変更を付加した形態で実施可能であり、本発明はそのような変更形態をも包含するものである。
【符号の説明】
【００４０】
１      給湯器（温水装置）
２      外装ケース
８      膨張タンク
２０    上面壁（上面板）
３０    取付金具
３３    熱交換器取付部
３４    カバー締結部
３５    付属機器取付部
３６    締結部
３９    バーリング
４０    開口部
４１    位置決め部
４５    給水口部材
【図１】
2018096546.tif 000003
【図２】
2018096546.tif 000004
【図３】
2018096546.tif 000005
【図４】
2018096546.tif 000006
【図５】
2018096546.tif 000007